(57)【特許請求の範囲】
【請求項１】
一群の単毛（１）を束ねて形成したブラシ穂（２）の基端が、筒状の穂ホルダー（３）を介してブラシ軸（４）に装着固定されている化粧ブラシであって、
穂ホルダー（３）は、一端にブラシ穂（２）用の保持部（６）を有し、他端にブラシ軸（４）への連結部（７）を備えた筒状の射出成形品であり、
ブラシ軸（４）は中空筒状に形成されていて、ブラシ軸（４）の一端に穂ホルダー（３）の連結部（７）が装着される装着軸（９）を備えた透明プラスチック材製の射出成形品であり、
ブラシ軸（４）の筒内壁（４ａ）に、金属蒸着膜や塗装被膜からなる装飾層（１４）が形成されていることを特徴とする化粧ブラシ。
【請求項２】
穂ホルダー（３）に金属蒸着膜や塗装被膜で形成された装飾層（１２）を有し、
穂ホルダー（３）およびブラシ軸（４）の筒外面に、透明な紫外線硬化塗料からなる保護層（１３）・（１５）が形成されている請求項１記載の化粧ブラシ。
【請求項３】
ブラシ穂（２）は、穂ホルダー（３）の保持部（６）に接着固定されて所定形状に保形されており、
穂ホルダー（３）の連結部（７）が、ブラシ軸（４）の装着軸（９）に外嵌する状態で接着固定されている請求項１または２記載の化粧ブラシ。
【請求項４】
一群の単毛（１）を束ねて形成したブラシ穂（２）の基端が、筒状の穂ホルダー（３）を介してブラシ軸（４）に装着固定されている化粧ブラシであって、
穂ホルダー（３）は、一端にブラシ穂（２）用の保持部（６）を有し、他端にブラシ軸（４）への連結部（７）を備えた筒状の射出成形品であり、
穂ホルダー（３）に、金属蒸着膜や塗装被膜で形成された装飾層（１２）を有し、
穂ホルダー（３）の外面に、透明な紫外線硬化塗料からなる保護層（１３）が形成されており、
ブラシ軸（４）は、一端に穂ホルダー（３）の連結部（７）を装着するための装着軸（９）を備えた射出成形品であり、
ブラシ軸（４）の外表面が、金属蒸着膜や塗装被膜で形成された装飾層（１４）で覆われ、その外面に透明な紫外線硬化塗料からなる保護層（１５）が形成されていることを特徴とする化粧ブラシ。
【請求項５】
一群の単毛（１）を束ねて形成したブラシ穂（２）の基端が、筒状の穂ホルダー（３）を介してブラシ軸（４）に装着固定されている化粧ブラシであって、
穂ホルダー（３）は、一端にブラシ穂（２）用の保持部（６）を有し、他端にブラシ軸（４）への連結部（７）を備えた筒状の射出成形品であり、
穂ホルダー（３）に金属蒸着膜や塗装被膜で形成された装飾層（１２）を有し、
ブラシ軸（４）は中空筒状に形成されていて、ブラシ軸（４）の一端に穂ホルダー（３）の連結部（７）が装着される装着軸（９）を備えた透明プラスチック材製の射出成形品であり、
ブラシ軸（４）の筒内壁（４ａ）に、外面側に装飾層（１４）を備えた装飾シート（１７）が丸めた状態で装填されていることを特徴とする化粧ブラシ。
【発明の詳細な説明】
【技術分野】
【０００１】
本発明はフェイスブラシ、アイシャドウブラシ、チークブラシ、リップブラシなどの化粧ブラシに関する。
【背景技術】
【０００２】
この種の化粧ブラシは、主として獣毛を素材とするブラシ穂と、木製のブラシ軸と、ブラシ穂をブラシ軸に固定するための筒状の口金（穂ホルダー）とで構成されている。木製のブラシ軸の表面は塗装して滑らかに仕上げてあり、必要に応じて化粧ブラシの型式番号や商品名などが、ホットスタンプ法や、シルクスクリーン印刷法などによって印刷してある。金属製の口金は光沢メッキ処理を施して仕上げてあり、ブラシ軸に対してかしめ固定してある。
【０００３】
本発明では、化粧ブラシを低コスト化し、さらに化粧ブラシを廃棄するときの分別の手間を省くために、ブラシ穂、ブラシ軸、穂ホルダーの三者を、分別の必要がないプラスチック材で形成するにある。このように化粧ブラシの構成部品の全てをプラスチック材で形成することは、特許文献１、および特許文献２に公知である。特許文献３のブラシ軸は、透明プラスチック製の外筒と、外筒内に嵌め込まれるプラスチック製の芯材で構成することが開示されている。この化粧ブラシによれば、透明な外筒のレンズ効果によって、芯材の表面に形成された色彩模様を立体的に視認できる。
【０００４】
【特許文献１】実開昭６１−１１０３２７号公報（第１頁、第３図）
【特許文献２】特開２００３−５２４４９号公報（段落番号０００９、図１）
【特許文献３】特開２００５−１７６８６３号公報（段落番号００２３〜００２４、図２）
【発明の開示】
【発明が解決しようとする課題】
【０００５】
木製のブラシ軸と金属製の口金を含む従来の化粧ブラシは、高級感に富む反面、大半の加工工程が手作業で行われるため、手間が掛かりその分だけ製造コストが高く付く。化粧ブラシを廃棄するときは、口金をブラシ軸から分離して、可燃物と不燃物とに分別する必要があり、かしめ固定された口金を分離するのに多くの手間が掛かる。この点、ブラシ穂、ブラシ軸、穂ホルダーの三者がプラスチック材で形成された特許文献１、２の化粧ブラシは、ブラシ軸や穂ホルダーが再利用するプラスチック材で形成されていない限り、穂ホルダーを分別する必要もなく全体を可燃物として廃棄できる。さらに、大量生産が可能であるため製造コストが格段に少なくて済む。
【０００６】
問題は、プラスチック成形されたブラシ軸や穂ホルダーを高級な感じに仕上げるのが難しい。例えば、ブラシ軸や穂ホルダーにめっき処理を施して、金属光沢を発揮させることは不可能ではないが、めっき層が僅かでも傷付き、あるいは剥離すると高級感が一挙に損なわれてしまい、耐久性に問題がある。
【０００７】
本発明の目的は、安価に製造できるにもかかわらず高級感に富み、さらに構成部品の全体を可燃物として廃棄でき、長期にわたって装飾層の傷付きを防止できて耐久性に優れる化粧ブラシを提供することにある。本発明の目的は、ブラシ軸の色や模様などを多様化できるにもかかわらず、製造コストが少なくて済む化粧ブラシを提供することにある。
【課題を解決するための手段】
【０００８】
本発明の化粧ブラシは、一群の単毛１を束ねて形成したブラシ穂２の基端が、筒状の穂ホルダー３を介してブラシ軸４に装着固定されている。穂ホルダー３は、一端にブラシ穂２用の保持部６を有し、他端にブラシ軸４への連結部７を備えた筒状の射出成形品である。ブラシ軸４は中空筒状に形成されていて、ブラシ軸４の一端に穂ホルダー３の連結部７が装着される装着軸９を備えた透明プラスチック材製の射出成形品である。以て、ブラシ軸４の筒内壁４ａに、金属蒸着膜や塗装被膜からなる装飾層１４が形成されていることを特徴とする。
【０００９】
穂ホルダー３には、金属蒸着膜や塗装被膜で形成された装飾層１２を有し、穂ホルダー３およびブラシ軸４の筒外面には、透明な紫外線硬化塗料からなる保護層１３・１５を形成することができる。
【００１０】
ブラシ穂２は、穂ホルダー３の保持部６に接着固定されて所定形状に保形してあり、穂ホルダー３の連結部７は、ブラシ軸４の装着軸９に外嵌する状態で接着固定することができる。
【００１１】
別の本発明に係る化粧ブラシは、一群の単毛１を束ねて形成したブラシ穂２の基端が、筒状の穂ホルダー３を介してブラシ軸４に装着固定されている。その穂ホルダー３は、一端にブラシ穂２用の保持部６を有し、他端にブラシ軸４への連結部７を備えた筒状の射出成形品である。穂ホルダー３には、金属蒸着膜や塗装被膜で形成された装飾層１２を有し、穂ホルダー３の外面に透明な紫外線硬化塗料からなる保護層１３が形成してある。ブラシ軸４は、一端に穂ホルダー３の連結部７を装着するための装着軸９を備えた射出成形品である。ブラシ軸４の外表面は、金属蒸着膜や塗装被膜で形成された装飾層１４で覆われ、その外面に透明な紫外線硬化塗料からなる保護層１５が形成されていることを特徴とする。
【００１２】
更に別の本発明に係る化粧ブラシは、一群の単毛１を束ねて形成したブラシ穂２の基端が、筒状の穂ホルダー３を介してブラシ軸４に装着固定されている。その穂ホルダー３は、一端にブラシ穂２用の保持部６を有し、他端にブラシ軸４への連結部７を備えた筒状の射出成形品である。穂ホルダー３には金属蒸着膜や塗装被膜で形成された装飾層１２を有する。ブラシ軸４は中空筒状に形成されていて、ブラシ軸４の一端に穂ホルダー３の連結部７が装着される装着軸９を備えた透明プラスチック材製の射出成形品である。ブラシ軸４の筒内壁４ａには、外面側に装飾層１４を備えた装飾シート１７が丸めた状態で装填されていることを特徴とする。
【発明の効果】
【００１３】
本発明においては、穂ホルダー３およびブラシ軸４が射出成形品で形成されているので、穂ホルダー３を分別する必要もなく化粧ブラシの全体を可燃物として廃棄できるし、穂ホルダー３およびブラシ軸４を量産して化粧ブラシの製造に要する全体コストを削減化できる。透明プラスチック材で中空筒状に形成したブラシ軸４の筒内壁４ａには、金属蒸着膜や塗装被膜からなる装飾層１４を形成して、透明のブラシ軸４を介して装飾層１４を視認できるようにしたので、ブラシ軸４を単に塗装仕上げした従来の化粧ブラシに比べて、見かけ上の色や模様などの深みを増して高級感を醸し出すことができる。しかも、長期にわたって装飾層１４の傷付きを防止して、化粧ブラシの耐久性を向上することができる。
【００１４】
穂ホルダー３に装飾層１２を形成し、穂ホルダー３およびブラシ軸４の筒外面に、透明な紫外線硬化塗料からなる保護層１３・１５を形成してあると、それぞれ色や模様などが異なる複数種の穂ホルダー３とブラシ軸４とを予め用意しておき、両者３・４の組み合わせを変更することで、印象が異なるシリーズ商品化された化粧ブラシを簡単に構成できる。穂ホルダー３およびブラシ軸４の筒外面にそれぞれ透明な紫外線硬化塗料からなる保護層１５を形成してあると、擦り傷や衝突傷などを生じ難く、光沢感に富む化粧ブラシが得られる。
【００１５】
ブラシ穂２を穂ホルダー３の保持部６に接着固定し、さらに穂ホルダー３の連結部７をブラシ軸４の装着軸９に接着固定する化粧ブラシによれば、口金をかしめ固定する必要があった従来の化粧ブラシに比べて、ブラシ穂２、穂ホルダー３、ブラシ軸４の三者を接着するだけの簡単な作業で一体化でき、その分だけ組み立ての手間を省いて化粧ブラシこれ全体の製作コストをさらに削減化できる。
【００１６】
穂ホルダー３およびブラシ軸４を射出成形品で形成し、それぞれに装飾層１２・１４と、保護層１３・１５を形成した化粧ブラシによれば、穂ホルダー３を分別する必要もなく化粧ブラシの全体を可燃物として廃棄できるし、穂ホルダー３およびブラシ軸４を量産して化粧ブラシの製造に要する全体コストを削減化できる。それぞれ色や模様などが異なる複数種の穂ホルダー３とブラシ軸４とを予め用意しておき、両者３・４の組み合わせを変更することで、印象が異なるシリーズ商品化された化粧ブラシを簡単に構成できる。穂ホルダー３およびブラシ軸４の筒外面のそれぞれに透明な紫外線硬化塗料からなる保護層１３・１５が形成されていると、擦り傷や衝突傷などを生じ難く、光沢感に富む化粧ブラシが得られる。
【００１７】
透明プラスチック材で中空筒状に形成したブラシ軸４の筒内壁４ａに、装飾シート１７を丸めた状態で装填した化粧ブラシによれば、色や模様が異なる数種類の装飾シート１７を予め用意しておくことにより、ブラシ軸４の筒内に装填される装飾シート１７を変更するだけで、見かけの印象が異なるブラシ軸４を形成できる。したがって、ブラシ軸４の色、模様などを多様化できるにもかかわらず、化粧ブラシの製造コストを削減化できる。
【発明を実施するための最良の形態】
【００１８】
（実施例１）  図１および図２は本発明に係る化粧ブラシの実施例１を示す。図２において化粧ブラシは、一群の単毛１を密に束ねて形成されるブラシ穂２と、ブラシ穂２を保持固定する筒状の穂ホルダー３と、穂ホルダー３が装着固定されるブラシ軸４とで構成してあり、フェイスブラシ、あるいはチークブラシとして使用される。
【００１９】
ブラシ穂２は、山羊やリスなどの獣毛からなる単毛１、あるいは化学繊維からなる単毛１を密に束ねて形成する。化学繊維からなる単毛１は、その一端にテーパー加工を施して、獣毛を模した先細状の繊維を使用する。詳しくは、獣毛と同程度の細さのポリブチレンテレフタレート繊維を所定長さに切断して前段繊維を形成し、前段繊維の一端を硫酸や苛性ソーダなどの侵食性薬品に浸漬してテーパー状に溶融することにより、先細状の毛先部１ａを備えた単毛１を適用する。
【００２０】
穂ホルダー３は、一端にブラシ穂２用の保持部６を有し、他端にブラシ軸４への連結部７を備えた両端が開口する筒状の射出成形品からなる。保持部６は、ブラシ穂２の仕上がり形状に応じて円形、楕円形、および円の対向縁を平行に押し潰した長円形などに形成してある。連結部７は断面円形に形成した。
【００２１】
ブラシ軸４は、一端のみが開口する中空状の射出成形品であり、透明プラスチック材を素材にして形成する。軸体の開口端側には、穂ホルダー３の連結部７を装着するための装着軸９が形成されている。装着軸９の直径は、他の軸部分より小さく寸法設定してあり、装着軸９の基端段壁に連続する軸部直径は、連結部７の外直径と一致させてある。
【００２２】
穂ホルダー３とブラシ軸４は、強化スチロール樹脂、ＡＢＳ樹脂、ＡＳ樹脂、ポリカーボネイト、アセタール樹脂などを素材にして成形する。ブラシ軸４の表面には、化粧ブラシの型式番号や商品名などの表示１０が凹部、あるいは突起として同時に成形される。
【００２３】
具体的には、図１に示すように穂ホルダー３の外表面に、金属蒸着膜を形成して装飾層１２とし、その外面に透明の紫外線硬化塗料を塗布して保護層１３を形成した。また、ブラシ軸４の筒内壁４ａに金属蒸着膜を形成して装飾層１４とし、ブラシ軸４の外表面に透明の紫外線硬化塗料を塗布して保護層１５を形成した。
【００２４】
ブラシ穂２、穂ホルダー３、ブラシ軸４は、次の手順で組み立てる。まず、束状にまとめたブラシ穂２の基端側を穂ホルダー３の保持部６に差し込み、穂先の形状を図示例のように整えたうえで、ブラシ穂２の基端側に接着剤を塗布して、ブラシ穂２を穂ホルダー３に固定する。次に、ブラシ軸４の装着軸９の周面に接着剤を塗布したうえで、穂ホルダー３の連結部７を装着軸９に外嵌装着して、穂ホルダー３をブラシ軸４に固定する。
【００２５】
上記構成の化粧ブラシによれば、それぞれ透明な保護層１５とブラシ軸４の肉壁とを介して、筒内壁４ａに形成された金属光沢状の装飾層１４が視認される。さらに、ブラシ軸４の光屈折作用や、装飾層１４の光反射作用の変化によって装飾層１４の見え方が多様に変化するので、全体として高級感に富む化粧ブラシが得られる。穂ホルダー３およびブラシ軸４の外面のそれぞれが、耐久性に優れた紫外線硬化塗料からなる保護層１３・１５で覆ってあるので、穂ホルダー３の装飾層１２や、ブラシ軸４の表面が傷付くのをよく防止できる。強い外力を受けてブラシ軸４の表面の保護層１５が傷付けられたとしても、筒内壁４ａに形成した装飾層１４は周囲の肉壁で保護されるので傷付くことはなく、金属光沢状の光輝作用を長期にわたって安定して発揮できる。
【００２６】
上記の実施例では、穂ホルダー３の外表面に装飾層１２を形成したが、ブラシ軸４と同様に、穂ホルダー３の筒壁内面に装飾層１２を形成し、筒壁外面に透明の保護層１３を形成してもよい。
【００２７】
（実施例２）  図３および図４は、本発明をアイシャドウブラシに適用した実施例２を示す。この種のブラシは、先に説明したフェイスブラシのブラシ軸４が太めに形成されるのに比べて、ブラシ軸４が細長く、しかも中実軸として形成される。そのため、ブラシ軸４の外表面に金属蒸着膜を形成して装飾層１４とし、その表面に透明の保護層１５を形成する点が実施例１とは異なる。この場合のブラシ穂２の断面形状は概ね楕円形状に形成するが、より扁平化された長円形状であってもよい。ブラシ軸４は透明でないプラスチック材で形成することができる。他は、実施例１と同じであるので、同じ部材には同じ符号を付してその説明を省略する。
【００２８】
上記の各実施例では、装飾層１２・１４を金属蒸着層で形成したが、その必要はなく塗装被膜で装飾層１２・１４を形成してもよい。塗装被膜は、着色塗料や蛍光塗料などを穂ホルダー３の外面や、ブラシ軸４の筒内壁４ａに塗布して形成できる。
【００２９】
（実施例３）  図５および図６は本発明に係る化粧ブラシの実施例３を示す。ここでは、ブラシ軸４の筒内に装飾シート１７を配置して、その外面側に形成した装飾層１４を透明なブラシ軸４を介して視認できるようにした。装飾シート１７は、弾性に富むプラスチックシートからなり、図６に示すように、ブラシ軸４の筒内に丸めた状態で装填されて、自己の弾性で筒内壁４ａに密着している。
【００３０】
上記のように、ブラシ軸４とは別体の装飾シート１７に装飾層１４を形成する場合には、色や模様が異なる装飾シート１７を予め用意しておくことにより、ブラシ軸４の筒内に装填される装飾シート１７を変更するだけで、見かけの印象が異なるブラシ軸４を安価に形成できる。装飾シート１７の装飾層１４は、金属蒸着層やめっき層で形成してもよい。  
【００３１】
上記の実施例以外に、ブラシ軸４を中空状に形成する場合には、その筒内壁４ａの断面形状を多角形や楕円形などで形成して、ブラシ軸４における光の屈折作用を多様化することができる。さらに、筒内壁４ａの全面、あるいは一部にローレット溝状の凹凸群を形成して、光の屈折作用をさらに複雑化することができる。
【００３２】
穂ホルダー３の断面形状は、三角形、四角形などの多角形、あるいは半円形、半楕円形など任意形状に形成することができる。必要に応じて、保持部６と連結部７とは筒壁内面に形成した区画壁で区分してもよい。
【図面の簡単な説明】
【００３３】
【図１】実施例１の化粧ブラシの縦断正面図である。
【図２】実施例１の化粧ブラシの外観斜視図である。
【図３】実施例２の化粧ブラシの正面図である。
【図４】実施例２の化粧ブラシの縦断正面図である。
【図５】実施例３の化粧ブラシの一部を破断した分解正面図である。
【図６】実施例３の化粧ブラシのブラシ軸の断面図である。
【符号の説明】
【００３４】
１  単毛
２  ブラシ穂
３  穂ホルダー
４  ブラシ軸
４ａ  ブラシ軸の筒内壁
６  保持部
７  連結部
９  装着軸
１２  装飾層
１４  装飾層
１５  保護層
【図１】
0004748731.tif 000002
【図２】
0004748731.tif 000003
【図３】
0004748731.tif 000004
【図４】
0004748731.tif 000005
【図５】
0004748731.tif 000006
【図６】
0004748731.tif 000007